(57)【要約】【課題】フィルタ駆動ユニットの汎用性を高める。【解決手段】フィルタ駆動ユニットは、円板状のフィルタを回転駆動する駆動部と、フィルタの回転を検出する検出部と、駆動部及び検出部が収容されるケースと、を備える。【選択図】図１４
2019027684.tif 000002
【特許請求の範囲】
【請求項１】
円板状のフィルタを回転駆動する駆動部と、
前記フィルタの回転を検出する検出部と、
前記駆動部及び前記検出部が収容されるケースと、
を備えるフィルタ駆動ユニット。
【請求項２】
前記ケースは、前記フィルタの厚み方向に対する前記フィルタの位置を規制する規制部を有する、
請求項１に記載のフィルタ駆動ユニット。
【請求項３】
前記規制部は、前記フィルタの厚み方向における一方の面に対向する第１突起と、前記フィルタの厚み方向における他方の面に対向する第２突起と、を有し、
前記第１突起及び前記第２突起は、前記フィルタの周方向において異なる位置に配置されている、
請求項２に記載のフィルタ駆動ユニット。
【請求項４】
前記ケースは、前記駆動部及び前記検出部を収容する収容部を有する収容体と、前記収容体の前記収容部を閉じる蓋体と、を有し、
前記第１突起及び前記第２突起の一方は前記収容体に設けられ、他方が前記蓋体に設けられている、
請求項３に記載のフィルタ駆動ユニット。
【請求項５】
前記駆動部は、前記フィルタを回転させる駆動歯車を有し、
前記検出部は、検出光を発する発光部と、前記発光部が発した前記検出光を受ける受光部と、を有し、
前記発光部及び前記受光部は、前記駆動歯車の回転中心と前記フィルタの回転中心とを結ぶ第１直線と平行な第２直線上に配置されている、
請求項１ないし４のいずれか１項に記載のフィルタ駆動ユニット。
【請求項６】
前記フィルタと、
前記フィルタの一部を加熱する加熱部と、
請求項１ないし５のいずれか１項に記載のフィルタ駆動ユニットと、を備え、
前記フィルタ駆動ユニットは、前記加熱部に隣接して配置されている、吸着ユニット。
【請求項７】
前記加熱部は、前記フィルタの一部に対向して配置される放熱板と、前記放熱板を加熱することにより前記放熱板を介して前記フィルタの一部を加熱するヒータと、前記放熱板を覆って加熱空間を形成するケーシングと、を有し、
前記ケーシングは、前記ヒータに電力を供給する配線が通される貫通穴を有し、
前記貫通穴は、前記ケーシングにおける前記フィルタ駆動ユニットに隣接する側とは反対側に位置している、
請求項６に記載の吸着ユニット。
【請求項８】
請求項６または７に記載の吸着ユニットを備え、
前記フィルタは、空気が通過することにより前記空気に含有される臭気成分を吸着し、加熱されることにより前記臭気成分を分解する、
空気清浄機。
【発明の詳細な説明】
【技術分野】
【０００１】
本発明は、フィルタ駆動ユニット、吸着ユニット及び空気清浄機に関する。
【背景技術】
【０００２】
従来、室内の空気を脱臭フィルタに通過させることにより、空気に含まれる臭気成分を脱臭フィルタに吸着させ、脱臭フィルタを加熱することにより、脱臭フィルタの脱臭能力を再生させる空気清浄機が知られている。このような空気清浄機のなかには、脱臭フィルタが複数の支持部を介して回転可能に設けられると共に、脱臭フィルタの一部を、放熱板によって加熱する加熱部を備える空気清浄機がある。
【０００３】
関連技術の空気清浄機としては、円板状の脱臭フィルタの内周部及び外周部が、複数のローラを介して回転可能に支持された構成がある。この構成では、複数のローラが、加熱部が有するケーシングに取り付けられている。また、脱臭フィルタの外周部を回転させる駆動部と、脱臭フィルタの回転を検出する検出部とが、脱臭フィルタを保持する保持部にそれぞれ設けられている。
【先行技術文献】
【特許文献】
【０００４】
【特許文献１】特開２０１６−４９４０４号公報
【発明の概要】
【発明が解決しようとする課題】
【０００５】
ところで、特許文献１の空気清浄機は、脱臭フィルタと加熱部と保持部が脱臭ユニットとしてユニット化されている。しかし脱臭フィルタを他の空調機器（例えば天井埋め込み型の空気調和機など）に採用した場合には、例えば脱臭フィルタを保持する保持構造が異なってくる可能性があるため、特許文献１のようにユニット化された脱臭ユニットでは汎用性が低い。
【０００６】
開示の技術は、上記に鑑みてなされたものであって、汎用性の高いフィルタ駆動ユニット、吸着ユニット及びそれらを用いた空気清浄機を提供することを目的とする。
【課題を解決するための手段】
【０００７】
本願の開示するフィルタ駆動ユニットの一態様は、円板状のフィルタを回転駆動する駆動部と、前記フィルタの回転を検出する検出部と、前記駆動部及び前記検出部が収容されるケースと、を備える。
【発明の効果】
【０００８】
本願の開示するフィルタ駆動ユニットの一態様によれば、フィルタ駆動ユニットの汎用性を高めることができる。
【図面の簡単な説明】
【０００９】
【図１】図１は、実施例の空気清浄機の外観を示す斜視図である。
【図２】図２は、実施例の空気清浄機を示す平面図である。
【図３】図３は、実施例の空気清浄機を示す図１におけるＡ−Ａ断面図である。
【図４】図４は、実施例の空気清浄機を示す図１におけるＢ−Ｂ断面図である。
【図５】図５は、実施例の脱臭ユニットを示す側面図である。
【図６】図６は、実施例の脱臭ユニットの脱臭フィルタ部を示す斜視図である。
【図７】図７は、実施例の脱臭ユニットのフィルタ再生部を示す分解斜視図である。
【図８】図８は、実施例の脱臭ユニットのフィルタ駆動ユニットを示す斜視図である。
【図９】図９は、実施例のフィルタ駆動ユニットが取り付けられる取付け部を示す斜視図である。
【図１０】図１０は、実施例のフィルタ駆動ユニットを示す斜視図である。
【図１１】図１１は、実施例のフィルタ駆動ユニットを蓋体側から示す斜視図である。
【図１２】図１２は、実施例のフィルタ駆動ユニットを示す分解斜視図である。
【図１３】図１３は、実施例のフィルタ駆動ユニットを蓋体側から示す分解斜視図である。
【図１４】図１４は、実施例のフィルタ駆動ユニットにおけるケース内を示す平面図である。
【発明を実施するための形態】
【００１０】
以下に、本願の開示するフィルタ駆動ユニット、吸着ユニット及び空気清浄機の実施例を図面に基づいて詳細に説明する。なお、以下の実施例によって、本願の開示するフィルタ駆動ユニット、吸着ユニット及び空気清浄機が限定されるものではない。
【実施例】
【００１１】
［空気清浄機の構成］
図１は、実施例の空気清浄機の外観を示す斜視図である。図１に示すように、一実施例である空気清浄機１は、本体筐体１１と、前面パネル１２と、フロントパネル１３と、リアパネル１４と、を備えている。本体筐体１１は、合成樹脂材で形成され、略直方体状に形成されている。本体筐体１１は、天面パネル１１ａ、右側面パネル１１ｂ、左側面パネル１１ｃ及び底部１１ｄを備えている。底部１１ｄは、本体筐体１１の下部を形成しており、空気清浄機１が設置される設置面に載置される。右側面パネル１１ｂと左側面パネル１１ｃは、対向するように配置されることにより本体筐体１１の側面を形成し、それぞれの下端が底部１１ｄに接合されている。天面パネル１１ａは、本体筐体１１の上部を形成しており、右側面パネル１１ｂの上端と左側面パネル１１ｃの上端とに接合されている。前面パネル１２は、本体筐体１１の前面に配置されている。フロントパネル１３は、前面パネル１２の前方に配置されている。
【００１２】
フロントパネル１３と前面パネル１２との間には、上面吸込口１３ａ、右側面吸込口１３ｂ、左側面吸込口１３ｃ及び下側吸込口１３ｄが形成されている。上面吸込口１３ａは、フロントパネル１３の上側に配置されている。右側面吸込口１３ｂは、フロントパネル１３の右側面パネル１１ｂの側に配置されている。左側面吸込口１３ｃは、フロントパネル１３の左側面パネル１１ｃの側に配置されている。下側吸込口１３ｄは、フロントパネル１３の底部１１ｄの側に配置されている。
【００１３】
空気清浄機１は、操作部１５をさらに備えている。操作部１５は、上面吸込口１３ａの一部を覆うように、空気清浄機１の上面に配置されている。操作部１５は、ボタン及び表示部を有する。ボタンは、電源ボタンや運転モード切り換えボタン等を含み、空気清浄機１を操作するときに用いられる。表示部は、空気清浄機１の運転状態や図示しない塵埃センサ等の検出器の検出結果を表示する。
【００１４】
図２は、実施例の空気清浄機１を示す平面図である。リアパネル１４は、合成樹脂材で形成され、図２に示すように、前面パネル１２が配置される前面の反対側の背面に配置されている。本体筐体１１とリアパネル１４との間には、上面吹出口１４ａと右側面吹出口１４ｂと左側面吹出口１４ｃとが形成されている。上面吹出口１４ａは、リアパネル１４の天面パネル１１ａの側に配置されている。右側面吹出口１４ｂは、リアパネル１４の右側面パネル１１ｂの側に配置されている。左側面吹出口１４ｃは、リアパネル１４の左側面パネル１１ｃの側に配置されている。
【００１５】
空気清浄機１は、上面吸込口１３ａ、右側面吸込口１３ｂ、左側面吸込口１３ｃ及び下側吸込口１３ｄのそれぞれから本体筐体１１に吸い込んだ空気を、上面吹出口１４ａ、右側面吹出口１４ｂ及び左側面吹出口１４ｃのそれぞれから吹き出すまでに、空気の除塵処理、加湿処理及び脱臭処理を行う。
【００１６】
なお、図１以降において、空気清浄機１の前後方向（奥行方向）をＸ方向、空気清浄機１の幅方向をＹ方向、空気清浄機１の高さ方向をＺ方向として示す。また、以下の説明では、本体筐体１１の前面パネル１２が配置される側を「前面側」とし、本体筐体１１のリアパネル１４が配置される側を「背面側」とする。
【００１７】
図３は、実施例の空気清浄機１を示す図１におけるＡ−Ａ断面図である。本体筐体１１は、図３に示すように、内部に通風路１０が形成されている。通風路１０は、上面吸込口１３ａと右側面吸込口１３ｂと左側面吸込口１３ｃと下側吸込口１３ｄとを、上面吹出口１４ａと右側面吹出口１４ｂと左側面吹出口１４ｃとに連通している。
【００１８】
空気清浄機１は、さらに、プレフィルタ２１、集塵ユニット２２、吸着ユニットとしての脱臭ユニット２３、加湿ユニット２４及び送風機２５を備えている。プレフィルタ２１、集塵ユニット２２、脱臭ユニット２３、加湿ユニット２４及び送風機２５は、本体筐体１１の内部の通風路１０に配置されている。
【００１９】
プレフィルタ２１は、例えば、糸状のＰＥＴ（ポリエチレンテレフタラート）材が編み込まれた網目構造体として形成されている。プレフィルタ２１は、通風路１０の前面側に配置されている。プレフィルタ２１は、上面吸込口１３ａ、右側面吸込口１３ｂ、左側面吸込口１３ｃ及び下側吸込口１３ｄから本体筐体１１の内部の通風路１０にそれぞれ吸い込まれる空気に含まれる塵埃を捕集する。
【００２０】
集塵ユニット２２は、通風路１０のうちのプレフィルタ２１の背面側に配置されている。本体筐体１１は、さらに、仕切板１６を備えている。仕切板１６は、フロントパネル１３の背面側に配置されており、本体筐体１１の一部を形成している。集塵ユニット２２は、第１電気集塵機２２ａ及び第２電気集塵機２２ｂを有する。第１電気集塵機２２ａ及び第２電気集塵機２２ｂは、上下方向に並べられ、仕切板１６に支持されている。第１電気集塵機２２ａ及び第２電気集塵機２２ｂは、それぞれ、図示しない筐体、放電電極及び集塵電極を有する。筐体の内部には、放電電極と集塵電極が支持されている。放電電極は、プレフィルタ２１で捕集されなかった細かな塵埃や花粉等をコロナ放電により帯電させる。集塵電極は、放電電極により帯電された塵埃や花粉等を捕集する。集塵ユニット２２は、第１電気集塵機２２ａと第２電気集塵機２２ｂとが、放電電極及び集塵電極、筐体とで形成されていることにより、例えば不織布をプリーツ形状に形成してなる他の集塵フィルタに比べて、空気抵抗が小さい。
【００２１】
脱臭ユニット２３は、通風路１０のうちのプレフィルタ２１の背面側に配置されている。加湿ユニット２４は、通風路１０のうちの脱臭ユニット２３の背面側に配置されている。加湿ユニット２４は、加湿フィルタ２４ａ及び貯水タンク２４ｂを有する。貯水タンク２４ｂには、水が貯留される。加湿フィルタ２４ａは、円板形状に形成されており、貯水タンク２４ｂに溜められた水に、加湿フィルタ２４ａの一部が浸るように配置されている。加湿フィルタ２４ａは、さらに、貯水タンク２４ｂに溜められた水に浸る部分が移動するように、回転軸により回転可能に支持されており、図示しないモータにより回転される。加湿ユニット２４は、貯水タンク２４ｂに溜められた水により湿らされた加湿フィルタ２４ａに空気を通すことにより、通風路１０を流れる空気を加湿する。
【００２２】
なお、加湿ユニット２４は、上記の構成に限らず、例えば、貯水タンク２４ｂに溜められた水を加湿フィルタ２４ａの外周側に形成した複数の桶で汲み上げて加湿フィルタ２４ａを湿潤させるようにしてもよい。この場合は加湿フィルタ２４ａは貯水タンク２４ｂに溜められた水に浸からないようにしてもよい。また、加湿フィルタ２４ａは回転しないようにしてもよい。この場合は、貯水タンク２４ｂに溜められた水を毛細管現象により吸い上げる他の加湿フィルタに置換されてもよい。
【００２３】
送風機２５は、通風路１０のうちの加湿ユニット２４の背面側に配置されている。送風機２５は、ターボファン２５ａ及びファンモータ２５ｂを有する。ファンモータ２５ｂは、回転数可変であり、ターボファン２５ａを回転させる。ターボファン２５ａは、合成樹脂材によって形成されており、ファンモータ２５ｂの出力軸に接続されている。ターボファン２５ａは、回転することにより、上面吸込口１３ａ、右側面吸込口１３ｂ、左側面吸込口１３ｃ及び下側吸込口１３ｄから、上面吹出口１４ａ、右側面吹出口１４ｂ及び左側面吹出口１４ｃに向かって空気を流す。すなわち、送風機２５は、上面吸込口１３ａ、右側面吸込口１３ｂ、左側面吸込口１３ｃ及び下側吸込口１３ｄから、空気清浄機１の内部へ空気を取り込み、通風路１０に沿って空気を通過させる。送風機２５は、さらに、上面吹出口１４ａ、右側面吹出口１４ｂ及び左側面吹出口１４ｃを介して、通風路１０を通過した空気を空気清浄機１の外部に放出する。
【００２４】
送風機２５は、ファンモータ２５ｂの中心の高さＤが、集塵ユニット２２の第１電気集塵機２２ａと第２電気集塵機２２ｂとの間の空間の高さと一致するように配置されている。ファンモータ２５ｂの中心付近は、ターボファン２５ａの回転による空気の流れが少ないので、通風路１０におけるファンモータ２５ｂの中心付近の空間での空気の流れが少ない。集塵ユニット２２は、第１電気集塵機２２ａと第２電気集塵機２２ｂとの間を空気が通過しない。このため、集塵ユニット２２は、空気の流れが多い空間に第１電気集塵機２２ａ及び第２電気集塵機２２ｂが配置されることにより、除塵を高効率に行うことができる。
【００２５】
図４は、実施例の空気清浄機１を示す図１におけるＢ−Ｂ断面図である。プレフィルタ２１は、図４に示すように、中央が前面側に向かって凸となるアーチ形状に形成されている。このため、プレフィルタ２１は、プレフィルタ２１を平坦状に形成する場合と比べて、上面吸込口１３ａ、右側面吸込口１３ｂ、左側面吸込口１３ｃ及び下側吸込口１３ｄから、本体筐体１１の内部にそれぞれ吸い込まれた空気がプレフィルタ２１を通過する面積が大きい。これにより、プレフィルタ２１は、上面吸込口１３ａ、右側面吸込口１３ｂ、左側面吸込口１３ｃ及び下側吸込口１３ｄから、本体筐体１１の内部に吸い込まれた空気から、より一層多くの塵埃を捕集することが可能とされている。
【００２６】
［脱臭ユニットの構成］
図５は、実施例の脱臭ユニットを示す側面図である。図５に示すように、実施例の吸着ユニットとしての脱臭ユニット２３は、脱臭フィルタ部２３ａと、加熱部としてのフィルタ再生部２３ｆと、保持部２３ｇと、を有する。さらに、脱臭ユニット２３は、脱臭フィルタ部２３ａを回転駆動するフィルタ駆動ユニット２３ｈを有する。フィルタ駆動ユニット２３ｈについては後述する。
【００２７】
脱臭フィルタ部２３ａは、円板状に形成されている。フィルタ再生部２３ｆは、略三角柱形状に形成されており、脱臭フィルタ部２３ａの周方向における一部の両面を覆っている。保持部２３ｇは、本体筐体１１に固定されており、脱臭フィルタ部２３ａ、フィルタ再生部２３ｆ及びフィルタ駆動ユニット２３ｈを支持している。保持部２３ｇは、合成樹脂材によって略四角形状のフレームとして形成されており、図５に示すように、脱臭フィルタ部２３ａの形状に応じた円形状の開口部２３ｇｄが中央に形成されている。さらに、保持部２３ｇは、開口部２３ｇｄの上方（保持部２３ｇを通風路１０に配置したときに上側となる箇所。以下、保持部２３ｇの上方と称する。）には、フィルタ再生部２３ｆの形状に応じた凹形状の再生部収納部２３ｇｅが形成されている。
【００２８】
図６は、実施例の脱臭ユニット２３の脱臭フィルタ部２３ａを示す斜視図である。脱臭フィルタ部２３ａは、図６に示すように、脱臭フィルタ２３ａａ、外周部フィルタカバー２３ａｃ及び内周部フィルタカバー２３ａｅを有する。
【００２９】
脱臭フィルタ２３ａａは、円板状に形成されており、中央に貫通孔２３ａａｏが形成されている。脱臭フィルタ２３ａａは、脱臭フィルタ２３ａａの厚さ方向に空気が通過するように形成されている。脱臭フィルタ２３ａａは、通過する空気から臭気成分を吸着し、後述するＰＴＣヒータ２３ｂによって加熱されることで、吸着された臭気成分を分解する。例えば、脱臭フィルタ２３ａａは、図示しない基材と、基材に形成された触媒層とを有する。基材は、アルミニウム等の板材によって形成されており、ハニカム構造に例示される多孔構造に形成されている。触媒層は、触媒によって形成されており、基材の表面を被覆している。触媒は、触媒層の近傍を流れる空気から臭気成分を吸着し、加熱されることにより、吸着された臭気成分を分解する。脱臭フィルタ２３ａａは、多孔構造に形成されていること、及び、フィルタ再生部２３ｆが脱臭フィルタ２３ａａの一部のみを覆い大部分を覆っていないことにより、空気抵抗が小さい。
【００３０】
外周部フィルタカバー２３ａｃは、概ね円環状に形成されており、脱臭フィルタ２３ａａの外周部に沿って配置されている。外周部フィルタカバー２３ａｃは、脱臭フィルタ２３ａａの外周縁部を覆って外周部の端面を保護している。また、外周部フィルタカバー２３ａｃの外周部には、後述するフィルタ駆動ユニット２３ｈに噛み合わされる歯車部３４が形成されている。内周部フィルタカバー２３ａｅは、概ね円環状に形成され、脱臭フィルタ２３ａａの貫通孔２３ａａｏの内部に配置されており、脱臭フィルタ２３ａａにおける内周縁部を覆って脱臭フィルタ２３ａａの内周部の端面を保護している。内周部フィルタカバー２３ａｅには、貫通孔２３ａｄが形成されている。
【００３１】
［フィルタ再生部の構成］
図７は、実施例の脱臭ユニット２３のフィルタ再生部２３ｆを示す分解斜視図である。加熱部としてのフィルタ再生部２３ｆは、図７に示すように、ケーシングとしてのケース２３ｅと、放熱板２３ｃと、ＰＴＣ（Ｐｏｓｉｔｉｖｅ  Ｔｅｍｐｅｒａｔｕｒｅ  Ｃｏｅｆｆｉｃｉｅｎｔ）ヒータ２３ｂと、を有する。ケース２３ｅは、略三角柱形状の箱状に形成されている。ケース２３ｅは、脱臭フィルタ部２３ａの周方向の一部を覆っている。ケース２３ｅは、組み合わされる一対の前面側ケース部材２３ｅａと背面側ケース部材２３ｅｂを有する。前面側ケース部材２３ｅａは、ケース２３ｅの前面側の部分を形成している。背面側ケース部材２３ｅｂは、ケース２３ｅの背面側の部分を形成している。前面側ケース部材２３ｅａと背面側ケース部材２３ｅｂで構成されたケース２３ｅの内部には空間が形成される。また、ケース２３ｅの外側には、ケース２３ｅを保護する保護部材２３ｅｅが取り付けられている（図５、図８及び図９参照）。
【００３２】
放熱板２３ｃは、互いに対向して配置される一組の前面側放熱板２３ｃａと背面側放熱板２３ｃｂを有する。前面側放熱板２３ｃａは、ケース２３ｅの内部に支持されている。前面側放熱板２３ｃａは、脱臭フィルタ部２３ａの周方向における一部に対向する。脱臭フィルタ部２３ａは、前面側放熱板２３ｃａによって脱臭フィルタ部２３ａの一部が前面側から覆われている。同様に、背面側放熱板２３ｃｂは、ケース２３ｅの内部に支持されている。背面側放熱板２３ｃｂは、脱臭フィルタ部２３ａの周方向における一部に対向する。脱臭フィルタ部２３ａは、背面側放熱板２３ｃｂによって脱臭フィルタ部２３ａの一部が背面側から覆われている。
【００３３】
ＰＴＣヒータ２３ｂは、通電されることにより発熱し、温度上昇に伴って抵抗値が増加する性質を有しており、この性質を利用して発熱量を自己制御する。ＰＴＣヒータ２３ｂは、直方体状に形成されており、ケース２３ｅの内部に設けられている。ＰＴＣヒータ２３ｂは、脱臭フィルタ部２３ａの外周側に配置されており、前面側放熱板２３ｃａと背面側放熱板２３ｃｂとの間に挟まれて支持されている。ＰＴＣヒータ２３ｂは、後述する背面側放熱板２３ｃｂの位置決め突起２３ｃｆ（図７）に突き当てられる。また、ＰＴＣヒータ２３ｂは、後述する背面側ケース部材２３ｅｂの第１支持部２３ｓ１に突き当てられる。これにより、ＰＴＣヒータ２３ｂはＺ方向の両側への移動が規制されている。
【００３４】
前面側放熱板２３ｃａ及び背面側放熱板２３ｃｂは、例えば、アルミニウム材またはアルミ合金材等の熱伝導性が良好な材料によって形成されている。前面側放熱板２３ｃａは、図７に示すように、脱臭フィルタ部２３ａの前面側に配置されている。前面側放熱板２３ｃａの外形は、脱臭フィルタ部２３ａの貫通孔２３ａｄから脱臭フィルタ部２３ａの外周側に向かうにつれて左右方向（脱臭フィルタ部２３ａの周方向）に対する幅寸法が大きくなる略三角形状に形成されている。前面側放熱板２３ｃａは、フィルタ対向面２３ｃａａとカバー対向面２３ｃａｂを有する。フィルタ対向面２３ｃａａは、前面側放熱板２３ｃａの一方の面であり、カバー対向面２３ｃａｂは、前面側放熱板２３ｃａの他方の面である。また、前面側放熱板２３ｃａの内周側端部には、半円状の切り欠き部２３ｃａｇが形成されており、後述する背面側ケース部材２３ｅｂの軸部２３ｘａから離間されている。切り欠き部２３ｃａｇは、軸部２３ｘａの外周面に対して空間を確保するように、軸部２３ｘａの周方向に沿って形成されている。
【００３５】
背面側放熱板２３ｃｂは、脱臭フィルタ部２３ａの背面側に対向して配置されている。背面側放熱板２３ｃｂの外形は、脱臭フィルタ部２３ａの貫通孔２３ａｄから外周側に向かうにつれて左右方向（脱臭フィルタ部２３ａの周方向）に対する幅寸法が大きくなる略三角形状に形成されている。背面側放熱板２３ｃｂは、フィルタ対向面２３ｃｂａとカバー対向面２３ｃｂｂを有する。フィルタ対向面２３ｃｂａは、背面側放熱板２３ｃｂの一方の面であり、カバー対向面２３ｃｂｂは、フィルタ対向面２３ｃｂａの他方の面である。
【００３６】
図７に示すように、背面側放熱板２３ｃｂのフィルタ対向面２３ｃｂａには、ＰＴＣヒータ２３ｂを位置決めする位置決め突起２３ｃｆが設けられており、位置決め突起２３ｃｆがＰＴＣヒータ２３ｂの外周面（Ｚ方向の一方側の外周面（脱臭フィルタ部２３ａの内周側の外周面））に当たることで、Ｚ方向の一方側（脱臭フィルタ部２３ａの内周側）に対するＰＴＣヒータ２３ｂの位置が規制されている。また、背面側放熱板２３ｃｂと同様に、前面側放熱板２３ｃａのフィルタ対向面２３ｃａａにも、ＰＴＣヒータ２３ｂを位置決めする位置決め突起２３ｃｇが設けられている。また、背面側放熱板２３ｃｂの内周側端部には、半円状の切り欠き部２３ｃｂｇが形成されており、後述する背面側ケース部材２３ｅｂの軸部２３ｘａから離間されている。切り欠き部２３ｃｂｇは、軸部２３ｘａの外周面に対して空間を確保するように、軸部２３ｘａの周方向に沿って形成されている。
【００３７】
ＰＴＣヒータ２３ｂは、前面側放熱板２３ｃａのフィルタ対向面２３ｃａａ及び背面側放熱板２３ｃｂのフィルタ対向面２３ｃｂａにおける脱臭フィルタ部２３ａの外周側の側縁部に、前面側放熱板２３ｃａと背面側放熱板２３ｃｂとの間に挟まれて支持されている。前面側放熱板２３ｃａは、フィルタ対向面２３ｃａａが脱臭フィルタ部２３ａに対向するように配置されている。背面側放熱板２３ｃｂは、フィルタ対向面２３ｃｂａが脱臭フィルタ部２３ａに対向するように配置されている。なお、ＰＴＣヒータ２３ｂと、前面側放熱板２３ｃａ及び背面側放熱板２３ｃｂとの間には、熱伝導性を高めるために熱伝導グリース等が塗布されてもよい。
【００３８】
説明の便宜上、背面側ケース部材２３ｅｂから先に説明する。背面側ケース部材２３ｅｂは、合成樹脂材によって形成されている。背面側ケース部材２３ｅｂの外形は、図７に示すように、背面側放熱板２３ｃｂの外形よりも一回り大きく形成されている。背面側ケース部材２３ｅｂの内側には、脱臭フィルタ部２３ａを加熱するための加熱空間としての加熱空間部２３ｅｄが形成されている。背面側ケース部材２３ｅｂは、有底の箱状に形成されており、背面側ケース部材２３ｅｂは、底部２３ｅｄａと、背面側ケース部材２３ｅｂの外周に沿って形成された外周壁としての第１側部２３ｅｄｂ、第２側部２３ｅｄｃ、第３側部２３ｅｄｄ及び第４側部２３ｅｄｅと、を有する。底部２３ｅｄａは、略三角形の板状に形成されている。第１側部２３ｅｄｂ、第２側部２３ｅｄｃ、第３側部２３ｅｄｄ及び第４側部２３ｅｄｅは、それぞれ、底部２３ｅｄａの外周部から立ち上がって形成されている。第１側部２３ｅｄｂは、底部２３ｅｄａの外周部における、脱臭フィルタ部２３ａの貫通孔２３ａｄ側に配置される部分に形成されている。第４側部２３ｅｄｅは、底部２３ｅｄａの外周部における、脱臭フィルタ部２３ａの外周側に配置される部分に形成されている。第２側部２３ｅｄｃと第３側部２３ｅｄｄは、底部２３ｅｄａの外周部のＹ方向の両側の部分に形成されている。
【００３９】
図７に示すように、背面側ケース部材２３ｅｂの底部２３ｅｄａには、背面側放熱板２３ｃｂの外周に沿って内周壁２３ｐｂが形成されている。内周壁２３ｐｂは、第１側部２３ｅｄｂ、第２側部２３ｅｄｃ、第３側部２３ｅｄｄに対して所定の間隔をあけて形成されており、内周壁２３ｐｂの両端が第４側部２３ｅｄｅに連結されている。背面側ケース部材２３ｅｂの底部２３ｅｄａには、脱臭フィルタ部２３ａの貫通孔２３ａｄに挿通されて脱臭フィルタ部２３ａを回転可能に支持する軸部２３ｘａが形成されている。軸部２３ｘａは、ネジ２３ｔ等がねじ込まれるネジ孔２３ｘａａを有する。また、背面側ケース部材２３ｅｂの外周側端部において、底部２３ｅｄａのＹ方向における両側には、前面側ケース部材２３ｅａと背面側ケース部材２３ｅｂとを一体に固定するネジ２３ｔ等がねじ込まれる貫通孔２３ｘｂａを有するボス２３ｘｂがそれぞれ形成されている。
【００４０】
背面側ケース部材２３ｅｂの底部２３ｅｄａには、２つの第１支持部２３ｓ１が形成されている。第１支持部２３ｓ１は、背面側放熱板２３ｃｂの外周部２３ｃｂｈと、背面側放熱板２３ｃｂに重ねられるＰＴＣヒータ２３ｂ及び前面側放熱板２３ｃａの外周部２３ｃａｈをそれぞれ支持する。また、背面側ケース部材２３ｅｂの底部２３ｅｄａには、背面側放熱板２３ｃｂの外周部２３ｃｂｈを支持する第２支持部２３ｓ２がそれぞれ形成されている。
【００４１】
図７に示すように、前面側ケース部材２３ｅａは、背面側ケース部材２３ｅｂと同様に、合成樹脂材によって形成されている。前面側ケース部材２３ｅａの外形は、前面側放熱板２３ｃａの外形よりも一回り大きく形成されている。前面側ケース部材２３ｅａの内側には、脱臭フィルタ部２３ａを加熱するための加熱空間としての加熱空間部２３ｅｃが形成されている。前面側ケース部材２３ｅａは有底の箱状に形成されており、前面側ケース部材２３ｅａは、底部２３ｅｃａと、前面側ケース部材２３ｅａの外周に沿って形成された外周壁としての第１側部２３ｅｃｂ、第２側部２３ｅｃｃ、第３側部２３ｅｃｄ及び第４側部２３ｅｃｅと、を有する。底部２３ｅｃａは、略三角形の板状に形成されている。第１側部２３ｅｃｂ、第２側部２３ｅｃｃ、第３側部２３ｅｃｄ及び第４側部２３ｅｃｅは、それぞれ、底部２３ｅｃａの外周部から立ち上がって形成されている。第１側部２３ｅｃｂは、底部２３ｅｃａの外周部における、脱臭フィルタ部２３ａの貫通孔２３ａｄ側に配置される部分に形成されている。第４側部２３ｅｃｅは、底部２３ｅｃａの外周部における、脱臭フィルタ部２３ａの外周側に配置される部分に形成されている。第２側部２３ｅｃｃと第３側部２３ｅｃｄは、底部２３ｅｃａの外周部のＹ方向の両側の部分に形成されている。底部２３ｅｃａと第１側部２３ｅｃｂ、第２側部２３ｅｃｃ、第３側部２３ｅｃｄ及び第４側部２３ｅｃｅとで囲まれた空間が前面側内部空間となる。
【００４２】
図７に示すように、前面側ケース部材２３ｅａの底部２３ｅｃａには、前面側放熱板２３ｃａの外周に沿って内周壁２３ｐａが形成されている。内周壁２３ｐａは、第１側部２３ｅｃｂ、第２側部２３ｅｃｃ、第３側部２３ｅｃｄに対して所定の間隔をあけて形成されており、内周壁２３ｐａの両端が第４側部２３ｅｃｅに連結されている。前面側ケース部材２３ｅａの底部２３ｅｃａには、脱臭フィルタ部２３ａの貫通孔２３ａｄに対向する位置に、凹状の軸座部２３ｘｃが形成されている。軸座部２３ｘｃには、背面側ケース部材２３ｅｂの軸部２３ｘａの先端が突き当てられる。軸座部２３ｘｃはネジ２３ｔがねじ込まれる貫通孔２３ｘｃａを有する。また、前面側ケース部材２３ｅａの底部２３ｅｃａのＹ方向における両側で、かつ、第４側部２３ｅｃｅと隣接する位置には、背面側ケース部材２３ｅｂのボス２３ｘｂの先端が突き当てられるボス座部２３ｘｄが形成されている。ボス座部２３ｘｄはネジ２３ｔがねじ込まれる貫通孔２３ｘｄａを有する。
【００４３】
また、前面側ケース部材２３ｅａの底部２３ｅｃａには、図示しないが、背面側ケース部材２３ｅｂの第１支持部２３ｓ１の第１リブ及び第２リブがそれぞれ突き当てられる第１リブ及び第２リブが形成されている。前面側ケース部材２３ｅａの第１リブ及び第２リブは、前面側放熱板２３ｃａに接することで、前面側放熱板２３ｃａ、ＰＴＣヒータ２３ｂ及び背面側放熱板２３ｃｂのＸ方向に沿う両側に対する移動を規制する。前面側ケース部材２３ｅａの第１リブ及び第２リブは、底部２３ｅｃａから突出して形成されており、前面側放熱板２３ｃａと前面側ケース部材２３ｅａの内面との間に空間（隙間）をあけた状態で前面側放熱板２３ｃａの外周部２３ｃａｈを支持する。
【００４４】
図７に示すように、脱臭フィルタ部２３ａの貫通孔２３ａｄには、背面側ケース部材２３ｅｂの軸部２３ｘａが挿通されることで、脱臭フィルタ部２３ａが軸部２３ｘａに回転可能に支持されている。また、軸部２３ｘａは、環状部材としての円筒状のシャフト部材２３ｘｅ内へ通されており、脱臭フィルタ部２３ａの貫通孔２３ａｄに通されたシャフト部材２３ｘｅを介して、脱臭フィルタ部２３ａの中心部を支持している。シャフト部材２３ｘｅは、例えば、ステンレス等の熱伝導性を有する金属材料等によって形成されており、背面側放熱板２３ｃｂと前面側放熱板２３ｃａとの間に両端面が挟み込まれている。
【００４５】
［脱臭ユニットの特徴的な構成］
次に、実施例における脱臭ユニット２３の特徴的な構成について説明する。図８は、実施例の脱臭ユニット２３のフィルタ駆動ユニット２３ｈを示す斜視図である。図９は、実施例のフィルタ駆動ユニット２３ｈが取り付けられる取付け部を示す斜視図である。図１０は、実施例のフィルタ駆動ユニット２３ｈを示す斜視図である。図１１は、実施例のフィルタ駆動ユニット２３ｈを蓋体側から示す斜視図である。
【００４６】
図５、図８及び図９に示すように、脱臭ユニット２３が有するフィルタ駆動ユニット２３ｈは、フィルタ再生部２３ｆに隣接しており、脱臭フィルタ部２３ａの外周側に配置されている。図８、図１０及び図１１に示すように、フィルタ駆動ユニット２３ｈが有するケース２３ｍは、脱臭ユニット２３の保持部２３ｇに固定されている。図９に示すように、保持部２３ｇには、フィルタ駆動ユニット２３ｈが取り付けられる取付け部２３ｇｆが設けられている。取付け部２３ｇｆには、フィルタ駆動ユニット２３ｈのケース２３ｍを支持するボス２３ｇｇ、２３ｇｈが一体に形成されている。フィルタ駆動ユニット２３ｈは、複数のボス２３ｇｇ、２３ｇｈを介してネジ止めされることにより、取付け部２３ｇｆに固定されている。
【００４７】
図１２は、実施例のフィルタ駆動ユニット２３ｈを示す分解斜視図である。図１３は、実施例のフィルタ駆動ユニット２３ｈを蓋体側から示す分解斜視図である。図１４は、実施例のフィルタ駆動ユニット２３ｈにおけるケース内を示す平面図である。
【００４８】
図１２、図１３及び図１４に示すように、フィルタ駆動ユニット２３ｈは、脱臭フィルタ部２３ａを回転させる駆動部２３ｊと、脱臭フィルタ２３ａａの回転を検出する回転検出部２３ｋと、駆動部２３ｊ及び回転検出部２３ｋを収容するケース２３ｍと、を有する。
【００４９】
駆動部２３ｊ及び回転検出部２３ｋは、図１４に示すように、脱臭フィルタ部２３ａの外周に沿ってそれぞれ配置されている。駆動部２３ｊは、フィルタ再生部２３ｆ側に配置されている。回転検出部２３ｋは、駆動部２３ｊに対して、フィルタ再生部２３ｆ側とは反対側に配置されている。なお、フィルタ再生部２３ｆに対する駆動部２３ｊ及び回転検出部２３ｋの配置は、脱臭フィルタ部２３ａの周方向において上述した位置とは逆に配置されてもよい。
【００５０】
駆動部２３ｊは、脱臭フィルタ部２３ａの外周部（外周部フィルタカバー２３ａｃ）に噛み合わされる駆動歯車２３ｊａと、駆動歯車２３ｊａを回転させるモータ２３ｊｂと、を有する。駆動歯車２３ｊａは、モータ２３ｊｂの回転軸２３ｊｃに固定されている（図１３参照）。モータ２３ｊｂは、ケース２３ｍ内に固定される固定片２３ｊｄを有しており、固定片２３ｊｄを介してネジ止めされている。
【００５１】
回転検出部２３ｋは、脱臭フィルタ部２３ａの外周部に噛み合わされる検出用歯車２３ｋａと、検出用歯車２３ｋａの回転を検出する光センサ２３ｋｂと、を有する。検出用歯車２３ｋａは、脱臭フィルタ２３ａａの回転に応じて発光部２３ｋｃと受光部２３ｋｄとの間を移動して検出光を遮る遮光部２３ｋｅを有する。遮光部２３ｋｅは、検出用歯車２３ｋａの周方向に沿う環状の周壁として形成されており、検出光を通過させるスリット２３ｋｆが、周方向における１か所に切り欠かれている。光センサ２３ｋｂは、スリット２３ｋｆを通過する検出光を検出することで、検出用歯車２３ｋａと共に回転する脱臭フィルタ２３ａａの回転を検出する。言い換えると、回転検出部２３ｋは、検出用歯車２３ｋａの回転数を検出することによって、脱臭フィルタ２３ａａの回転方向における位置を検出する。
【００５２】
また、検出用歯車２３ｋａと駆動歯車２３ｊａは、同一形状に形成されており、フィルタ駆動ユニット２３ｈの構成部品が共通化されている。このため、上述の駆動歯車２３ｊａにも遮光部２３ｋｅに相当する周壁２３ｊｅが形成されているが、この周壁２３ｊｅは回転数を検出するための機能部分として使われていない。図１２及び図１３に示すように、駆動歯車２３ｊａと検出用歯車２３ｋａは、軸方向における向きが、脱臭フィルタ２３ａａの厚み方向に対して互いに逆向きに配置されている。これにより、駆動歯車２３ｊａとモータ２３ｊｂとの間に周壁２３ｊｅが配置されないので、周壁２３ｊｅを有する形状であっても、モータ２３ｊｂの回転軸２３ｊｃが長くなることが避けられている。
【００５３】
光センサ２３ｋｂは、検出用歯車２３ｋａに向けて検出光を発する発光部２３ｋｃと、発光部２３ｋｃが発した検出光を受ける受光部２３ｋｄと、を有する。光センサ２３ｋｂとしては、透過型のフォトインタラプタが用いられているが、反射型のフォトリフレクタが用いられてもよい。反射型のフォトリフレクタが用いられる場合、図示しないが検出用歯車２３ｋａには、遮光部２３ｋｅの代わりに、光センサからの検出光を反射する反射部が設けられる。
【００５４】
本実施例では、光センサ２３ｋｂの発光部２３ｋｃ及び受光部２３ｋｄは、図５及び図１４に示すように、駆動歯車２３ｊａの回転中心Ｏ２と脱臭フィルタ２３ａａの回転中心Ｏ１とを結ぶ第１直線Ｌ１と平行な第２直線Ｌ２上に配置されている。すなわち、光センサ２３ｋｂは、発光部２３ｋｃから第２直線Ｌ２に沿って出射された検出光を、受光部２３ｋｄによって受ける。これにより、フィルタ駆動ユニット２３ｈは、上述の第１直線Ｌ１と第２直線Ｌ１との間隔が脱臭フィルタ２３ａａの径方向における外周側に向かって徐々に拡がる構成と比べて、脱臭フィルタ２３ａａの周方向に対して占める大きさが減らされており、コンパクトに構成されている。
【００５５】
図１２及び図１３に示すように、ケース２３ｍは、駆動部２３ｊ及び回転検出部２３ｋを収容する収容部２３ｍｃを有する収容体２３ｍａと、収容体２３ｍａの収容部２３ｍｃを閉じる蓋体２３ｍｂと、を有する。図１３及び図１４に示すように、収容体２３ｍａの収容部２３ｍｃ内には、モータ２３ｊｂを支持する一組の支持ボス２３ｍｄが一体に形成されている。支持ボス２３ｍｄには、モータ２３ｊｂの固定片２３ｊｄがネジ止めされている。また、収容部２３ｍｃ内には、図１３に示すように、検出用歯車２３ｋａを回転自在に支持する受け部２３ｍｅが一体に形成されている。受け部２３ｍｅは、断面Ｃ字状の支持壁として形成されており、検出用歯車２３ｋａの遮光部２３ｋｅが受け部２３ｍｅの周方向に沿って支持されている。
【００５６】
収容体２３ｍａには、蓋体２３ｍｂに係合する係合爪２３ｍｓが設けられている。蓋体２３ｍｂには、収容体２３ｍａの係合爪２３ｍｓが係合される係合穴２３ｍｔが設けられている。収容体２３ｍａの係合爪２３ｍｓが蓋体２３ｍｂの係合穴２３ｍｔに係合することにより、蓋体２３ｍｂは、収容部２３ｍｃを閉じた状態で収容体２３ｍａに固定される。
【００５７】
また、ケース２３ｍは、図１２及び図１３に示すように、脱臭フィルタ２３ａａの厚み方向（Ｘ方向）に対する脱臭フィルタ２３ａａの位置を規制する規制部としての第１突起２３ｍ１及び第２突起２３ｍ２を有する。第１突起２３ｍ１は、収容体２３ｍａに設けられており、脱臭フィルタ２３ａａの厚み方向（Ｘ方向）における一方の面に対向する位置に、一方の面に向かって突出して形成されている。第２突起２３ｍ２は、蓋体２３ｍｂに設けられており、脱臭フィルタ２３ａａの厚み方向の他方の面に対向する位置に、他方の面に向かって突出して形成されている。
【００５８】
第１突起２３ｍ１及び第２突起２３ｍ２は、脱臭フィルタ２３ａａの周方向において異なる位置に配置されており、第１突起２３ｍ１と第２突起２３ｍ２とが脱臭フィルタ２３ａａの周方向に対して所定の距離だけ離間されている。このように第１突起２３ｍ１と第２突起２３ｍ２が脱臭フィルタ２３ａａの周方向に対して離間されることにより、脱臭フィルタ２３ａａは、脱臭フィルタ２３ａａの周方向における異なる２箇所で厚み方向に対してそれぞれ規制される。このため、脱臭フィルタ２３ａａの厚み方向に対する規制作用が高められ、駆動部２３ｊによって回転される脱臭フィルタ２３ａａの厚み方向に対する位置を適正に維持する効果が高められる。
【００５９】
また、図５及び図１４に示すように、駆動部２３ｊは、配線２３ｊｈを介して制御回路部（図示せず）と接続されている。同様に、回転検出部２３ｋは、配線２３ｋｈを介して制御回路部（図示せず）と接続されている。ケース２３ｍの収容体２３ｍａには、図１４に示すように、配線２３ｊｈ、２３ｋｈがそれぞれ通される貫通穴２３ｍｆが設けられており、配線２３ｊｈ、２３ｋｈは、貫通穴２３ｍｆからケース２３ｍの外側へ引き出されて、保持部２３ｇの上方へ延ばされている。
【００６０】
図５に示すように、フィルタ再生部２３ｆのケース２３ｅ（前面側ケース部材２３ｅａ及び背面側ケース部材２３ｅｂ）は、ＰＴＣヒータ２３ｂに電力を供給する配線２３ｅｇが通される貫通穴２３ｅｆを有する。貫通穴２３ｅｆは、フィルタ駆動ユニット２３ｈ側とは反対側の、ケース２３ｅの側面部に設けられている。配線２３ｅｇは、貫通穴２３ｅｆからケース２３ｅの外側へ引き出され、保持部２３ｇの上方へ延ばされている。このように、フィルタ駆動ユニット２３ｈは、フィルタ再生部２３ｆのケース２３ｅの貫通穴２３ｅｆ側とは反対側に配置されることにより、貫通穴２３ｅｆから漏れ出るケース２３ｅ内の熱によって、フィルタ駆動ユニット２３ｈが加熱されることが避けられる。このため、フィルタ駆動ユニット２３ｈのケース２３ｍ等を、耐熱性が高い材料を用いて形成する必要がなく、廉価な材料を用いることが可能になり、フィルタ駆動ユニット２３ｈの製造コストの低減が可能となる。
【００６１】
加えて、フィルタ駆動ユニット２３ｈは、フィルタ再生部２３ｆのケース２３ｅの貫通穴２３ｅｆ側とは反対側に配置されることにより、駆動部２３ｊの配線２３ｊｈ及び回転検出部２３ｋの配線２３ｋｈと、ＰＴＣヒータ２３ｂの配線２３ｅｇとが、互いに干渉することが避けられ、配線２３ｊｈ、２３ｋｈを引き回すスペースを確保して容易に引き回すことが可能となる。
【００６２】
［フィルタ駆動ユニットの検出動作］
以上のように組み立てられた脱臭ユニット２３は、図５に示すように、フィルタ再生部２３ｆ及びフィルタ駆動ユニット２３ｈが保持部２３ｇに組み付けられている。脱臭フィルタ部２３ａは、外周部フィルタカバー２３ａｃの歯車部３４が、フィルタ駆動ユニット２３ｈの駆動部２３ｊの駆動歯車２３ｊａと噛み合わされており、駆動部２３ｊによって図５中の矢印Ｒ方向へ回転される。また、脱臭フィルタ部２３ａは、外周部フィルタカバー２３ａｃの歯車部３４が、回転検出部２３ｋの検出用歯車２３ｋａと噛み合わされており、回転検出部２３ｋによって回転が検出される。駆動部２３ｊは、回転検出部２３ｋの検出結果に基づいて、制御回路部により駆動制御される。
【００６３】
［空気清浄機の動作］
空気清浄機１は、使用者が操作部１５を操作することで、運転を開始する。空気清浄機１は、運転を開始したとき、送風機２５が駆動されると共に、集塵ユニット２２の第１電気集塵機２２ａ及び第２電気集塵機２２ｂが通電され、加湿ユニット２４の加湿フィルタ２４ａが回転を開始する。空気清浄機１は、送風機２５が駆動されることで、上面吸込口１３ａ、右側面吸込口１３ｂ、左側面吸込口１３ｃ及び下側吸込口１３ｄから、本体筐体１１の内部へ空気が吸い込まれる。
【００６４】
本体筐体１１の内部に吸い込まれた空気は、上面吸込口１３ａ、右側面吸込口１３ｂ、左側面吸込口１３ｃ及び下側吸込口１３ｄから、上面吹出口１４ａ、右側面吹出口１４ｂ及び左側面吹出口１４ｃに向かって通風路１０を流れる。通風路１０を流れる空気は、まず、プレフィルタ２１によって塵埃が捕集される。プレフィルタ２１によって塵埃が捕集された空気は、プレフィルタ２１で捕集されなかった細かな塵埃や花粉等が、集塵ユニット２２によって捕集される。集塵ユニット２２によって塵埃が捕集された空気は、一部が脱臭ユニット２３に供給され、残りが加湿ユニット２４に供給される。
【００６５】
脱臭ユニット２３に供給された空気は、保持部２３ｇの開口部２３ｇｄを介して、脱臭フィルタ２３ａａにおけるフィルタ再生部２３ｆによって覆われていない通風面に供給される。脱臭フィルタ２３ａａの通風面に供給された空気は、脱臭フィルタ２３ａａを通過することにより、臭気成分が除去され、脱臭される。このとき、脱臭ユニット２３の脱臭フィルタ２３ａａは、脱臭ユニット２３に供給された空気が、プレフィルタ２１と集塵ユニット２２とにより塵埃や花粉等があらかじめ除去されていることにより、塵埃や花粉等によって目詰まりすることが防止される。
【００６６】
脱臭ユニット２３により脱臭された空気は、一部が加湿ユニット２４に供給され、残りが送風機２５に供給される。加湿ユニット２４に供給された空気は、加湿ユニット２４により加湿される。加湿ユニット２４によって加湿された空気は、送風機２５に供給される。送風機２５に供給された空気は、上面吹出口１４ａ、右側面吹出口１４ｂ及び左側面吹出口１４ｃから、空気清浄機１の外部へ吹き出される。
【００６７】
空気清浄機１は、運転中に、ＰＴＣヒータ２３ｂに継続して通電を行うと共に、駆動部を駆動させることで、脱臭フィルタ部２３ａを所定時間毎に所定の回転角度を回転させる。所定時間は、脱臭フィルタ部２３ａの脱臭能力を再生するために必要な処理時間であり、例えば、２時間が例示される。所定の回転角度としては、３０度が例示される。空気清浄機１は、脱臭フィルタ部２３ａを回転させることにより、脱臭フィルタ２３ａａの周方向におけるフィルタ再生部２３ｆで覆われる部分の脱臭能力を再生する。すなわち、空気清浄機１は、脱臭フィルタ２３ａａのフィルタ再生部２３ｆで覆われる位置の脱臭能力の再生を行いつつ、脱臭フィルタ２３ａａのフィルタ再生部２３ｆで覆われていない部分を通過する空気を脱臭する。
【００６８】
上述したように実施例の脱臭ユニット２３のフィルタ駆動ユニット２３ｈは、脱臭フィルタ２３ａａを回転駆動する駆動部２３ｊと、脱臭フィルタ２３ａａの回転を検出する回転検出部２３ｋと、駆動部２３ｊ及び回転検出部２３ｋが収容されるケース２３ｍと、を備える。これにより、駆動部２３ｊ及び回転検出部２３ｋは、ケース２３ｍ内に収容された単一のユニットとして構成されることにより、脱臭フィルタの保持構造が異なる複数種類の空調機器にも適用できるようになり、駆動部２３ｊ及び回転検出部２３ｋの汎用性が高められる。このため、脱臭ユニット２３の汎用性も高めることができる。
【００６９】
また、駆動部２３ｊ及び回転検出部２３ｋを有するフィルタ駆動ユニット２３ｈとしてユニット化（モジュール化）されたことにより、フィルタ駆動ユニット２３ｈとフィルタ再生部２３ｆとが分離され、フィルタ再生部２３ｆから引き出される配線２３ｅｇと、フィルタ駆動ユニット２３ｈから引き出される配線２３ｊｈ、２３ｋｈとの干渉を避けることが可能になり、配線２３ｊｈ、２３ｋｈを容易に引き回すことができる。また、フィルタ駆動ユニット２３ｈは、高温になるフィルタ再生部２３ｆから分離されて設けられることにより、ＰＴＣヒータ２３ｂの熱による影響を避けることができる。このため、フィルタ駆動ユニット２３ｈのケース２３ｍ等を、耐熱性が高い材料を用いて形成する必要がなくなるので、フィルタ駆動ユニット２３ｈの製造コストの低減が可能となる。
【００７０】
また、実施例のフィルタ駆動ユニット２３ｈのケース２３ｍは、脱臭フィルタ２３ａａの厚み方向に対する脱臭フィルタ２３ａａの位置を規制する第１突起２３ｍ１及び第２突起２３ｍ２を有する。これにより、駆動部２３ｊによって回転される脱臭フィルタ２３ａａの厚み方向に対する位置を適正に維持することができる。
【００７１】
また、実施例のフィルタ駆動ユニット２３ｈは、脱臭フィルタ２３ａａの厚み方向における一方の面に対向する第１突起２３ｍ１と、脱臭フィルタ２３ａａの厚み方向における他方の面に対向する第２突起２３ｍ２と、を有し、第１突起２３ｍ１及び第２突起２３ｍ２が、脱臭フィルタ２３ａａの周方向において異なる位置に配置されている。脱臭フィルタ２３ａａの周方向に対して第１突起２３ｍ１と第２突起２３ｍ２が離間されることにより、脱臭フィルタ２３ａａの厚み方向に対する規制作用を高めることができる。このため、例えばフィルタ駆動ユニット２３ｈがコンパクトな構成であっても、駆動部２３ｊによって回転される脱臭フィルタ２３ａａの厚み方向に対する位置を適正に維持する効果を高めることができる。
【００７２】
また、実施例のフィルタ駆動ユニット２３ｈにおいて、駆動部２３ｊが有する駆動歯車２３ｊａと、回転検出部２３ｋが有する検出用歯車２３ｋａが同一形状である。構成部品が共通化されることにより、空気清浄機１の生産性を更に高めると共に製造コストの増加を更に抑えることができる。
【００７３】
また、実施例のフィルタ駆動ユニット２３ｈが有する回転検出部２３ｋは、発光部２３ｋｃ及び受光部２３ｋｄが、駆動歯車２３ｊａの回転中心Ｏ２と脱臭フィルタ２３ａａの回転中心Ｏ１とを結ぶ第１直線Ｌ１と平行な第２直線Ｌ２上に配置されている。これにより、フィルタ駆動ユニット２３ｈは、脱臭フィルタ２３ａａの周方向に対して占める大きさを減らし、コンパクトに構成することが可能となる。
【００７４】
また、実施例のフィルタ駆動ユニット２３ｈは、フィルタ再生部２３ｆに隣接して配置されており、フィルタ再生部２３ｆのケース２３ｅに設けられて配線２３ｅｇが通される貫通穴２３ｅｆが、ケース２３ｅにおけるフィルタ駆動ユニット２３ｈに隣接する側とは反対側に位置している。これにより、フィルタ再生部２３ｆのケース２３ｅの貫通穴２３ｅｆから漏れ出る熱によって、フィルタ駆動ユニット２３ｈが加熱されることが避けられる。このため、フィルタ駆動ユニット２３ｈのケース２３ｍ等を、耐熱性が高い材料を用いて形成する必要がなくなるので、フィルタ駆動ユニット２３ｈの製造コストの低減が可能となる。
【符号の説明】
【００７５】
１  空気清浄機
２３  脱臭ユニット（吸着ユニット）
２３ａ  脱臭フィルタ部
２３ａａ  脱臭フィルタ（フィルタ）
２３ｂ  ＰＴＣヒータ
２３ｃ  放熱板
２３ｅ  ケース（ケーシング）
２３ｅｃ、２３ｅｄ  加熱空間部（加熱空間）
２３ｅｆ  貫通穴
２３ｅｇ  配線
２３ｆ  フィルタ再生部（加熱部）
２３ｈ  フィルタ駆動ユニット
２３ｊ  駆動部
２３ｊａ  駆動歯車
２３ｊｂ  モータ
２３ｋ  回転検出部（検出部）
２３ｋａ  検出用歯車
２３ｋｂ  光センサ
２３ｋｃ  発光部
２３ｋｄ  受光部
２３ｋｅ  遮光部
２３ｍ  ケース
２３ｍａ  収容体
２３ｍｂ  蓋体
２３ｍｃ  収容部
２３ｍ１  第１突起
２３ｍ２  第２突起
Ｌ１  第１直線
Ｌ２  第２直線
Ｏ１、Ｏ２  回転中心
【図１】
2019027684.tif 000003
【図２】
2019027684.tif 000004
【図３】
2019027684.tif 000005
【図４】
2019027684.tif 000006
【図５】
2019027684.tif 000007
【図６】
2019027684.tif 000008
【図７】
2019027684.tif 000009
【図８】
2019027684.tif 000010
【図９】
2019027684.tif 000011
【図１０】
2019027684.tif 000012
【図１１】
2019027684.tif 000013
【図１２】
2019027684.tif 000014
【図１３】
2019027684.tif 000015
【図１４】
2019027684.tif 000016